(57)【要約】【課題】台紙を廃止することにより省資源化を図った非接触ＩＣ付き台紙なしラベル連続体を提供することを課題とする。【解決手段】一面に所望情報を表示する表示面１０が形成された基材２と、基材２の表示面１０を覆う剥離剤層３と、基材２の他面に形成された粘着剤層４と、粘着剤層４を介して粘着剤層４の表面に配されるＩＣチップ５およびアンテナ６を含むインレット７と、から成る【選択図】　　　図２
2004037576.tif 000002
【特許請求の範囲】
【請求項１】
一面に所望情報を表示する表示面が形成された基材と、
前記基材の表示面を覆う剥離剤層と、
前記基材の他面に形成された粘着剤層と、
前記粘着剤層を介して粘着剤層の表面に配されるＩＣチップおよびアンテナを含むインレットと、
から成ることを特徴とする非接触ＩＣ付き台紙なしラベル連続体。
【請求項２】
前記基材の表示面がサーマル紙であることを特徴とする請求項１記載の非接触ＩＣ付き台紙なしラベル連続体。
【請求項３】
少なくとも前記インレットを覆う第２の粘着剤層を設けたことを特徴とする非接触ＩＣ付き台紙なしラベル連続体。
【請求項４】
一面に所望情報を表示する表示面が形成された基材と、
前記基材の表示面を覆う剥離剤層と、
前記基材の他面に形成された粘着剤層と、
前記粘着剤層を介して粘着剤層の表面に配されるＩＣチップおよびアンテナを含むインレットとを備える非接触ＩＣ付き台紙なしラベル連続体の情報書込み装置であって、
前記基材の表示面に第１の情報を印字する印字部と、
前記ＩＣチップに第２の情報を書込む書込み部と、
この書込み部および前記印字部を制御する制御部と、
を有することを特徴とする非接触ＩＣ付き台紙なしラベル連続体の情報書込み装置。
【発明の詳細な説明】
【０００１】
【発明の属する技術分野】
本発明は、特に、各種のラベルとして利用される非接触ＩＣ付き台紙なしラベル連続体およびその情報書込み装置に関する。
【０００２】
【従来の技術】
従来から、商品情報その他の所定の表示情報を印字したラベルを商品その他の被貼付物品に貼り付けている。ラベルの裏面には粘着剤層を形成してあり、被貼付物品への貼り付けを可能としてある。
【０００３】
近年、ラベルが貼付されている商品のセキュリティ強化、あるいは、大きさの関係でラベルの表面に表示できない商品の属性等の情報量不足を補う目的で非接触ＩＣ付きラベルが用いられており、このような非接触ＩＣ付きラベルにあっては、ラベルを所定の移送路に移送する課程において、ラベルの表面に所定の表示情報を印字するとともに、不足した情報を非接触ＩＣのチップに記憶させて商品情報の充実を図っている。
【０００４】
このような非接触ＩＣ付きラベルとしては、例えば、特開平２００１−５９３１号や特開平２００１−１３８７４号公報に開示されるように、「台紙」としての剥離紙を備えたものが知られており、被貼付物品に貼り付けるためには、ラベルに表示情報を印字するとともに情報をＩＣチップに記憶させ、かつ、ラベルを切断して単葉のラベル片としたのち、台紙を剥がして粘着剤層を露呈させる必要があった。
【０００５】
しかしながら、前述したような従来の非接触ＩＣ付きラベルであると、ラベル片を被貼付物品へ貼付する際には不要である台紙を備えているため、ラベル使用のたびに台紙が廃棄物になるという問題があった。
【０００６】
【発明が解決しようとする課題】
本発明は、上記のような問題点に着目してなされたものであって、台紙を廃止することにより省資源化を図った非接触ＩＣ付き台紙なしラベル連続体を提供することを課題とする。
【０００７】
又、本発明は、剥離台紙を不要とした上で、任意の要請に応じて第１の情報を視覚認識可能に表示（印字）するとともに、第２の情報を書込むことができる非接触ＩＣ付き台紙なしラベル連続体の情報書込み装置を提供することを課題とする。
【０００８】
【課題を解決するための手段】
上記課題を達成するため、本発明に係る非接触ＩＣ付き台紙なしラベル連続体は、一面に所望情報を表示する表示面が形成された基材と、上記基材の表示面を覆う剥離剤層と、上記基材の他面に形成された粘着剤層と、上記粘着剤層を介して粘着剤層の表面に配されるＩＣチップおよびアンテナを含むインレットと、から成る。
また、基材の表示面をサーマル紙とすることができる。
また、少なくともインレットを覆う第２の粘着剤層を設けるようにできる。
更に、本発明に係る非接触ＩＣ付き台紙なしラベル連続体の情報書込み装置は、一面に所望情報を表示する表示面が形成された基材と、上記基材の表示面を覆う剥離剤層と、上記基材の他面に形成された粘着剤層と、上記粘着剤層を介して粘着剤層の表面に配されるＩＣチップおよびアンテナを含むインレットとを備える非接触ＩＣ付き台紙なしラベル連続体の情報書込み装置であって、上記基材の表示面に第１の情報を印字する印字部と、上記ＩＣチップに第２の情報を書込む書込み部と、この書込み部および前記印字部を制御する制御部と、を有することを特徴とする。
【０００９】
【発明の実施の形態】
以下、図１ないし図２を参照して、本発明の好適な一実施の形態を説明する。図１は、非接触ＩＣ付き台紙なしラベル連続体の概略斜視図であり、図２は、図１中、矢示ＩＩ−ＩＩ線に沿う断面図である。
【００１０】
非接触ＩＣ付き台紙なしラベル連続体（以下、適宜、ラベル連続体と略す）１は、主に、基材２と、この基材２の一方の面を覆う剥離剤層３と、基材２の他方の面に形成された粘着剤層４と、情報を記憶可能なＩＣチップ５およびアンテナ６等を備えた平面状回路体（以下、適宜、インレットと称す）７と、予め印刷されたタイミングマーク８と、を備える。
【００１１】
基材２は、例えば紙、フィルム、それらの貼合体や複合材、紙あるいはフィルムをベースとしたサーマル紙などで作製され、表面側は、サーマルヘッドなどの既知の手段を用いて商品名を始めとする所望の情報を印字できる表示面１０とされている。
【００１２】
また、基材２の表示面１０は、剥離剤層３にて覆われており、図１に示すように「連続体」として巻回した際、この剥離剤層３により後述の粘着剤層４がくっつかないようにされている。剥離剤層３には、例えば、紫外線硬化型、電子線硬化型、熱硬化型、無溶剤型などのシリコーンや、シリコーンを含む樹脂組成物、フッ素系剥離剤、アルキルベンダントポリマなどが採用可能である。
【００１３】
一方、基材２の裏面側には、粘着剤層４が形成されており、この粘着剤層４を介して商品などの被貼付物（図示省略）に貼付できるようになっている。この粘着剤層４を形成する粘着剤としては、例えば、エマルジョン系、ソルベント系、ホットメルト系、紫外線硬化型ホットメルト系、空気硬化タイプのホットメルト系などのものが採用可能である。
【００１４】
インレット７は、ＰＥＴフィルム１１などを保持体として用いることにより、前述したＩＣチップ５およびアンテナ６等を保持して形成された平面状回路体であって、既知の読み込み／書込み手段によりアンテナ６を介してＩＣチップ５に所望の情報を読み書き可能とされており、前記基材２の表面に表示できないような秘匿情報や表示しきれない不足情報等を書込み・記憶できるようになっている。このインレット７は、粘着剤層４を介して基材２に貼付されて配置される。
【００１５】
タイミングマーク８は、基材２の長手方向において、等間隔で粘着剤層４側に予め印刷されており、後述する既知のプリンタ等の情報書込み装置にて基材２の表面側に所望の情報を表示する際などに用いられる位置決め用のマークであり、このタイミングマーク８の間が１片の台紙なしラベル９とされる。
【００１６】
前述インレット７は、この１片の台紙なしラベル９ごとに配置されており、この台紙なしラベル９が連接されて非接触ＩＣ付き台紙なしラベル連続体１が形成されるものであり、図１のように巻回すると表示面１０に粘着剤層４が重なるように巻かれるが、表示面１０を覆うように剥離剤層３が形成されており、くっつくことがないようにされている。
【００１７】
なお、前述インレット７が粘着剤層４を介して基材２に配置されると、粘着剤層４がインレット７によって覆われ、台紙なしラベル９の裏面において「非粘着部分」が形成される。このため、インレット７部分は台紙なしラベル９の全体面積よりも小さくされ、タイミングマーク８間で区切られる台紙なしラベル９を単体で用いた場合、インレット７の部分以外の粘着剤層４が露呈したまま、被貼付物（図示省略）への貼り付けが可能なようにされている。台紙なしラベル９の大きさにもよるが、粘着剤層４に配置されたインレット７の面積は、台紙なしラベル９の３／４以下が望ましい。
【００１８】
図３は、本発明の他の実施の形態を示す図２相当の断面図である。
なお、以下において、先の実施の形態と同様の部分は同一符号を付すに止め、詳説を省略する。
【００１９】
図３の台紙なしラベル１５には、粘着剤層４を介して基材２に配置されたインレット７の表面に、第２の粘着剤層１６が形成されている。
【００２０】
インレット７の表面に、第２の粘着剤層１６が形成されたことにより、台紙なしラベル１５の粘着剤層４側に「非粘着部分」が形成されることがなく、粘着剤層４およびこれを覆うインレット７表面の第２の粘着剤層１６によって台紙なしラベル１５の裏面側の全面が「粘着剤層」として形成されるので、被貼付物（図示せず）への台紙なしラベル１５の貼り付けは、先の「非粘着部分」を有する台紙なしラベル９に比べ、より強固となるものである。
他の構成、作用、効果は、先の実施の形態とほぼ同様につき、詳説を省略する。
【００２１】
図４は、本発明に係る非接触ＩＣ付き台紙なしラベル連続体に情報の表示および書込みを行う情報書込み装置の一実施の形態を示す図である。
なお、以下において、先の実施の形態と同様の部分は同一符号を付すに止め、詳説を省略する。
【００２２】
プリンタとしての情報書込み装置２０は、主に、供給軸２１と、サーマルヘッド２２およびプラテンローラ（以下、適宜プラテンと略す）２３から成る印字部２４と、書込み部２５と、カッタユニット部２６と、位置検出用光学センサ２７と、前記各構成部を制御する制御部２８と、を備える。
【００２３】
供給軸２１には、前記非接触ＩＣ付き台紙なしラベル連続体（ラベル連続体）１が装着可能とされている。
【００２４】
印字部２４は、サーマルヘッド２２およびプラテン２３とを有し、このサーマルヘッド２２およびプラテン２３の間に、前記供給軸２１に装着されたラベル連続体１を繰り出して挟持しプラテン２３を回転することにより、ラベル連続体１を下流側へ搬送する搬送機構の役目も果たす。
サーマルヘッド２２は、ラベル連続体１の表示面１０に第１の情報１２を印字する。図２は、感熱発色式の印字方式により第１の情報１２が印字された例を示し、サーマルヘッド２２に熱が印加されると、熱が剥離剤層３を通して基材２に伝わり、基材２表層のサーマル層（図示省略）が発色して所望の情報が印字されるようになっている。なお、３０は、基材２の表示面１０に施されたプレ印刷の情報を示す。
プラテン２３は、ラベル連続体１の粘着剤層４が接触するため、搬送時に粘着剤層４が引っ付きにくいよう、例えば、シリコーン等でコーティングされている。
【００２５】
書込み部２５は、例えば、送信アンテナ（図示省略）を備えており、微弱無線などを用いて前記ラベル連続体１のＩＣチップ５に第２の情報を書込む。
【００２６】
カッタユニット部２６は、固定刃２６ａと可動刃２６ｂとを備え、ラベル連続体１をタイミングマーク８の部分で切断することにより、単葉の台紙なしラベル９を作成する。
【００２７】
位置検出用光学センサ２７は、供給軸２１と印字部２４との間に配設され、ラベル連続体１のタイミングマーク８を検出する。
【００２８】
制御部２８は、前記の印字部２４、書込み部２５、カッタユニット部２６および光学センサ２７を制御するためのもので、例えば、前記ラベル連続体１のタイミングマーク８を検出すると、所望の量プラテン２３を回転してラベル連続体１の所望の位置をサーマルヘッド２２に位置決めして所望の情報を印字するとともに、印字終了したラベル連続体１の所望の位置をカッタユニット部２６に搬送して切断するなどの制御を行う。
【００２９】
こうした構成の情報書込み装置２０において、非接触ＩＣ付き台紙なしラベル連続体１を供給軸２１に装着して印字部２４へと繰り出し、ラベル連続体１の表示面１０（図２参照）に第１の情報を印字する。
【００３０】
印字部２４にて、第１の情報１２が印字されたラベル連続体１は、書込み部２５において、第２の情報が書込まれる。
【００３１】
上記ラベル連続体１の表示面１０に印字される第１の情報としては、例えば、宅配便などの流通に使用する場合、荷受人、差出人の住所、氏名、あるいは、宅配業者の管理番号などの情報がある。
また、ＩＣチップ５に書込まれる第２の情報としては、上記第１の情報で表示しきれなかった、例えば、集配センタ情報などを書込む。
このように、視覚認識可能な第１の情報および微弱無線等電磁的に書込み可能な第２の情報を連続的に書込み、カッタユニット２６にてタイミングマーク８近傍を切断すると、それぞれの必要データを表示ないし書込み・記録した特定の台紙なしラベル９を発行することができる。
特に、第２の情報は、目に見えない情報としてＩＣチップ５に書込まれるため、例えば、身分証などの秘匿情報の書込みとして利用するとセキュリティ効果が高くなるものである。
【００３２】
発行されたラベル連続体１には、剥離台紙が存在しないため、例えば、宅配便の受付営業所などにおいて、本実施形態の情報書込み装置２０を使用して台紙なしラベル９を連続して発行した場合、剥離台紙を剥がすことなく宅配便などの被貼付物（図示省略）に直ちに貼り付けられるため、貼り付けが容易であり、かつ、剥離台紙が廃棄物となることがない。
【００３３】
なお、上記実施例においては、説明の都合上、感熱発色式で第１の情報１２を印字する例で説明したが、これに限定されないことは勿論であり、熱転写リボンのインクをラベル連続体１に転写する熱転写方式も採用可能である。
【００３４】
【発明の効果】
この発明に係る非接触ＩＣ付き台紙なしラベル連続体は、以上説明したように、基材と、基材の表示面を覆う剥離剤層と、基材の他面に形成された粘着剤層と、この粘着剤層を介して粘着剤層の表面に配されたインレットから成るので、台紙を廃止した簡単な構造とした上で、長手方向に巻回したとしても、表示面を剥離剤層が覆っているため、くっついて繰り出しにくくなることがないという効果がある。
【００３５】
また、この発明に係る非接触ＩＣ付き台紙なしラベル連続体の情報書込み装置によれば、基材の表示面に第１の情報を印字する印字部と、ＩＣチップに第２の情報を書込む書込み部と、この書込み部および印字部を制御する制御部とを有するようにしたので、視覚認識可能な第１の情報および微弱無線等電磁的に書込み可能な第２の情報を連続的に書込み可能とでき、それぞれの必要データを表示ないし記録した特定の台紙なしラベルを作成することができるので、特に秘匿したい情報をＩＣチップに書込むことによりセキュリティが高まるという効果がある。
【００３６】
更に、ラベル連続体には、剥離台紙が存在しないため、情報書込み装置を使用して台紙なしラベルを連続して発行しても、剥離台紙を剥がすことなく直ちに貼り付けられるため、貼り付けが容易であり、かつ、剥離台紙が廃棄物となることがないという効果がある。
【図面の簡単な説明】
【図１】本発明の一実施の形態に係る非接触ＩＣ付き台紙なしラベル連続体の概略斜視図である。
【図２】同、図１中、矢示ＩＩ−ＩＩ線に沿う概略断面図である。
【図３】同、他の実施の形態を示す図２相当の概略断面図である。
【図４】本発明に係る情報書込み装置の概略側面説明図である。
【符号の説明】
１　　　　非接触ＩＣ付き台紙なしラベル連続体（第１の発明）
２　　　　基材
３　　　　剥離剤層
４　　　　粘着剤層
５　　　　ＩＣチップ
６　　　　アンテナ
７　　　　インレット
８　　　　タイミングマーク
９　　　　台紙なしラベル（第１の実施形態）
１０　　表示面
１１　ＰＥＴフィルム
１２　第１の情報（印字情報）
１５　台紙なしラベル（第２の実施形態）
１６　　第２の粘着剤層（第２の実施形態）
２０　情報書込み装置（第２の発明）
２１　供給軸
２２　サーマルヘッド
２３　プラテンローラ（プラテン）
２４　印字部
２５　書込み部
２６　カッタユニット部
２７　光学センサ
２８　制御部
３０　プレ印刷
【図１】
2004037576.tif 000003
【図２】
2004037576.tif 000004
【図３】
2004037576.tif 000005
【図４】
2004037576.tif 000006